(57)【要約】【課題】通信エラーを検出した場合の訂正データ再送回数を低減することで通信負荷を削減し、スループットを向上してデータのリアルタイム性を維持すること。【解決手段】通信状態判定手段７において送信失敗を検出した場合、失敗したデータの負荷状態の変化度合が前回のデータ送信成功時から一定の範囲内であれば再送不要を判断し、失敗データの再送を中止させる。従って、状態変化の少ない負荷情報に関しては送信に失敗してもデータの再送は行わないことにより、通信エラーを検出した場合の訂正データ再送回数を低減することで通信負荷を削減するため、通信線２上の通信負荷を低減することができる。【選択図】図１
2011185533.tif 000002
【特許請求の範囲】
【請求項１】
給湯機の入出力負荷状態を検出する状態検出手段と、前記状態検出手段にて検出された入出力負荷状態の変化度合を判定する状態変化判定手段と、前記状態検出手段にて検出された入出力負荷状態を通信線にて接続された遠隔監視装置へ送信し、前記遠隔監視装置から通知データの受理応答を受信するための通信手段と、前記通信手段により送信したデータの送信失敗を前記遠隔監視装置からのデータ受理応答の有無によって検出し、前記状態変化判定手段において入出力負荷状態の変化度合が一定の範囲内であれば再送不要を判断し、失敗データの再送を中止させる通信状態判定手段をもつことを特徴とする給湯機。
【請求項２】
入出力負荷状態の送信失敗時における失敗データの再送の有無を判断するための入出力状態変化度合を任意に設定できる変化レベル設定手段を備えた請求項１に記載の給湯機。
【請求項３】
入出力負荷状態の送信失敗時における失敗データの再送の有無を判断するための入出力状態変化度合監視対象データ種別を任意に設定できるデータ種別設定手段を備えた請求項１に記載の給湯機。
【発明の詳細な説明】
【技術分野】
【０００１】
本発明は、通信線にて遠隔監視装置に接続される給湯機に関するものである。
【背景技術】
【０００２】
従来、この種の給湯機では、例えば図４に記載された給湯機があった。
【０００３】
図４において、給湯機１０１は、状態検出手段１０６によって検出した入出力負荷状態のデータをデータの送受信を行う通信手段１０４を介して通信線１０２に接続された遠隔監視装置１０３へ送信し、送信データの受理応答の有無を通信状態判定手段１０５にて監視し、受理応答が確認されなかった場合は訂正のためのデータ−を再送している（例えば、特許文献１参照）。
【先行技術文献】
【特許文献】
【０００４】
【特許文献１】特開平７−２５５０８９号公報
【発明の概要】
【発明が解決しようとする課題】
【０００５】
しかしながら、前記従来の構成では、給湯機１０１にて送信データの受理応答が確認されず、通信エラーが検出された場合は、無条件に訂正データを再送しており、これによって通信負荷の増大を招き、スループットが低下し、データのリアルタイム性が低下するという課題を有していた。
【０００６】
本発明は、前記従来の課題を解決するもので、通信エラーを検出した場合の訂正データ再送回数を低減することで通信負荷を削減し、スループットを向上してデータのリアルタイム性を維持することができる給湯機を提供することを目的とする。
【課題を解決するための手段】
【０００７】
前記従来の課題を解決するために、本発明の給湯機は、入出力負荷状態データを送信した際に通信エラーが発生した場合、送信データである入出力負荷状態データの変化度合が一定の範囲内であれば再送不要を判断し、失敗データの再送を中止させるものである。
【０００８】
これによって、エラー訂正データによる通信負荷の増大を抑えることができる。
【発明の効果】
【０００９】
本発明の給湯機は、通信エラーを検出した場合の訂正データ再送回数を低減することで通信負荷を削減し、スループットを向上してデータのリアルタイム性を維持することができる。
【図面の簡単な説明】
【００１０】
【図１】本発明の実施の形態１における給湯機のブロック図
【図２】本発明の実施の形態２における給湯機のブロック図
【図３】本発明の実施の形態３における給湯機のブロック図
【図４】従来の給湯機のブロック図
【発明を実施するための形態】
【００１１】
第１の発明は、給湯機の入出力負荷状態を検出する状態検出手段と、状態検出手段にて
検出された入出力負荷状態の変化度合を判定する状態変化判定手段と、状態検出手段にて検出された入出力負荷状態を通信線にて接続された遠隔監視装置へ送信し、遠隔監視装置から通知データの受理応答を受信するための通信手段と、通信手段により送信したデータの送信失敗を前記遠隔監視装置からのデータ受理応答の有無によって検出し、状態変化判定手段において入出力負荷状態の変化度合が一定の範囲内であれば再送不要を判断し、失敗データの再送を中止させる通信状態判定手段をもつもので、この構成をなすことにより、通信エラーを検出した場合の訂正データ再送回数を低減することで通信負荷を削減し、スループットを向上してデータのリアルタイム性を維持することができる。
【００１２】
第２の発明は、特に、第１の発明の状態変化判定手段において判断される入出力状態変化度合を任意に設定できる変化レベル設定手段を設けることにより、給湯機及び通信状態に適したスループットを確保し、リアルタイム性を維持することができる。
【００１３】
第３の発明は、特に、第１〜２の発明の入出力状態変化度合監視対象データ種別を任意に設定できるデータ種別設定手段を設けることにより、給湯機及び通信状態に適したスループットを確保し、リアルタイム性を維持することができる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における給湯機１のブロック図を示すものである。
【００１６】
図１において、給湯機１は、状態検出手段４、状態変化判定手段５、通信手段６、通信状態判定手段７から構成されている。状態検出手段４は、給湯機１の入出力負荷状態を検出する。状態変化判定手段５は、状態検出手段４にて検出された入出力負荷状態の変化度合を判定する。通信手段６は、通信線２上の遠隔監視装置３へ状態検出手段４にて検出された入出力負荷状態を送信し、遠隔監視装置３から通知データの受理応答を受信する。
【００１７】
通信状態判定手段７は、通信手段６により送信したデータの送信失敗を遠隔監視装置３からのデータ受理応答の有無によって検出し、状態変化判定手段５において入出力負荷状態の変化度合が前回のデータ送信成功時から一定の範囲内であれば再送不要を判断し、失敗データの再送を中止させる。
【００１８】
以上のように構成された給湯機１は、通信状態判定手段７において送信失敗を検出した場合、失敗したデータの負荷状態の変化度合が前回のデータ送信成功時から一定の範囲内であれば再送不要を判断し、失敗データの再送を中止させるものである。従って、状態変化の少ない負荷情報に関しては送信に失敗してもデータの再送は行わないことにより、通信エラーを検出した場合の訂正データ再送回数を低減することで通信負荷を削減するため、通信線２上の通信負荷を低減することができる。
【００１９】
（実施の形態２）
図２は、本発明の第２の実施の形態における給湯機１のブロック図を示すものである。図２において、実施の形態１で説明した部分については同じ符号を用い説明を省略する。
【００２０】
変化レベル設定手段８は、状態変化判定手段５において判断される入出力状態変化度合を任意に設定できる。
【００２１】
以上のように構成された給湯機１は、通信状態判定手段７において送信失敗を検出した場合の再送判断となる負荷状態の変化度合を任意に設定できることにより、給湯機１、及
び通信線２の通信状態に応じて、システムとして最適な通信負荷削減をすることができる。
【００２２】
（実施の形態３）
図３は、本発明の第３の実施の形態における給湯機１のブロック図を示すものである。図３において、実施の形態１、２で説明した部分については同じ符号を用い説明を省略する。
【００２３】
データ種別設定手段９は、入出力状態変化度合監視対象データ種別を任意に設定できる。  以上のように構成された給湯機１は、通信状態判定手段７において送信失敗を検出した場合、負荷状態の変化度合によるデータの再送処理の有無を各負荷の重要性に応じて設定できることとにより、給湯機１、及び通信線２の通信状態に応じて、システムとして最適な通信負荷削減をすることができる。
【産業上の利用可能性】
【００２４】
以上のように、本発明にかかる給湯機は、入出力負荷状態の変化度合が少ないデータの送信時に失敗した場合の訂正データ再送回数を低減することで通信負荷を削減し、スループットを向上してデータのリアルタイム性を維持することを可能とする。
【符号の説明】
【００２５】
１  給湯機
２  ネットワーク
３  遠隔監視装置
４  状態検出手段
５  状態変化判定手段
６  通信手段
７  通信状態判定手段
８  変化レベル設定手段
９  データ種別設定手段
【図１】
2011185533.tif 000003
【図２】
2011185533.tif 000004
【図３】
2011185533.tif 000005
【図４】
2011185533.tif 000006